(57)【要約】【課題】使用者が表示装置を保持した状態において、使用者が所望する場合にタッチ操作による指示入力が行えること。【解決手段】表示装置１は、使用者の手で保持可能な表示手段２と、表示手段２の表面に対する接触物の接触位置を検出する第１の接触位置検出手段４と、表示手段２の裏面に対する接触物の接触位置を検出する第２の接触位置検出手段５と、第１の接触位置検出手段４および／または第２の接触位置検出手段５に対する所定の操作に基づいて所定の指示を受け付け、当該指示に応じた処理を実行する実行手段１４と、第１の接触位置検出手段４により検出された接触位置と第２の接触位置検出手段５により検出された接触位置との位置関係に基づいて、実行手段１４を、指示を受け付けないモードから指示を受け付ける指示受付モードへと切り替える切替手段１４と、を備える。【選択図】図３
2014010481.tif 000002
【特許請求の範囲】
【請求項１】
使用者の手で保持可能な表示手段と、
前記表示手段の表面に対する接触物の接触位置を検出する第１の接触位置検出手段と、
前記表示手段の裏面に対する接触物の接触位置を検出する第２の接触位置検出手段と、
前記第１の接触位置検出手段および／または前記第２の接触位置検出手段に対する所定の操作に基づいて所定の指示を受け付け、当該指示に応じた処理を実行する実行手段と、
前記第１の接触位置検出手段により検出された接触位置と前記第２の接触位置検出手段により検出された接触位置との位置関係に基づいて、前記実行手段を、前記指示を受け付けないモードから前記指示を受け付ける指示受付モードへと切り替える切替手段と、
を備えることを特徴とする表示装置。
【請求項２】
請求項１に記載の表示装置において、
前記切替手段は、前記第１の接触位置検出手段により検出された接触位置と前記第２の接触位置検出手段により検出された接触位置とが略一致した場合に、前記実行手段を、前記指示受付モードへと切り替えることを特徴とする表示装置。
【請求項３】
請求項１または２に記載の表示装置において、
前記実行手段は、前記切替手段により前記指示受付モードに切り替えられた時点から、前記第１の接触位置検出手段により検出された接触位置および／または前記第２の接触位置検出手段により検出された接触位置が移動される操作に基づいて、前記表示手段の表示内容を変更する指示を受け付けることを特徴とする表示装置。
【請求項４】
請求項３に記載の表示装置において、
前記実行手段は、前記指示受付モードにおいて、前記第１の接触位置検出手段により検出された接触位置および前記第２の接触位置検出手段により検出された接触位置の両方が同時に移動される操作に基づいて前記指示を受け付けることを特徴とする表示装置。
【請求項５】
請求項４に記載の表示装置において、
前記実行手段は、前記指示受付モードにおいて、前記第１の接触位置検出手段により検出された接触位置および前記第２の接触位置検出手段により検出された接触位置の両方が同時に移動される操作と、前記第１の接触位置検出手段により検出された接触位置および前記第２の接触位置検出手段により検出された接触位置のいずれか一方のみが移動される操作とで、受け付ける前記指示を異ならせることを特徴とする表示装置。
【請求項６】
請求項３に記載の表示装置において、
前記実行手段は、前記指示受付モードにおいて、前記第１の接触位置検出手段により検出された接触位置のみが移動される操作と、前記第２の接触位置検出手段により検出された接触位置のみが移動される操作とで、受け付ける前記指示を異ならせることを特徴とする表示装置。
【請求項７】
請求項１〜６のいずれか一項に記載の表示装置において、
前記切替手段により前記実行手段が前記指示受付モードに切り替えられると、前記所定の操作に基づく前記所定の指示の内容を前記表示手段に表示させる表示制御手段をさらに備えることを特徴とする表示装置。
【請求項８】
請求項２に記載の表示装置において、
前記実行手段は、前記指示受付モードにおいて、前記略一致した接触位置の近傍にある前記表示手段の端部とは異なる前記表示手段の端部近傍において前記第１の接触位置検出手段および／または前記第２の接触位置検出手段により検出された接触位置が移動される操作に基づいて、前記指示を受け付けることを特徴とする表示装置。
【請求項９】
請求項２に記載の表示装置において、
前記実行手段は、前記指示受付モードにおいて、前記略一致した接触位置から、前記第１の接触位置検出手段および／または前記第２の接触位置検出手段により検出された接触位置が移動される操作に基づいて、前記指示を受け付けることを特徴とする表示装置。
【請求項１０】
請求項１〜９のいずれか一項に記載の表示装置において、
前記切替手段は、前記第１の接触位置検出手段または前記第２の接触位置検出手段のいずれか一方において、前記接触物の接触領域が所定面積以上または前記接触位置の数が所定数以上であることが検出された場合には、前記実行手段を、他方の接触位置検出手段に対する操作のみに基づいて前記指示を受け付けるモードへと切り替えることを特徴とする表示装置。
【請求項１１】
請求項３に記載の表示装置において、
前記切替手段は、前記実行手段を前記指示受付モードへと切り替えた後、前記第１の接触位置検出手段および／または前記第２の接触位置検出手段に対して、前記接触位置が移動される操作とは異なる所定の操作が行われた場合には、前記実行手段を、前記指示を受け付けないモードへ切り替えることを特徴とする表示装置。
【発明の詳細な説明】
【技術分野】
【０００１】
本発明は、表示装置に関する。
【背景技術】
【０００２】
シート状のディスプレイにタッチパネルが貼り付けられた表示装置が提案されている（特許文献１参照）。この表示装置では、特定の表示エリアにおいてタッチ操作による指示を行うことができるようになっている。
【先行技術文献】
【特許文献】
【０００３】
【特許文献１】特開２０１０−１６０７７５号公報
【発明の概要】
【発明が解決しようとする課題】
【０００４】
上記従来技術では、表示面全体においてタッチ操作による指示を可能にしようとすると、使用者が表示装置を保持する際のタッチも指示操作として検出されてしまう。したがって上記従来技術では、使用者が表示装置を保持した状態において、使用者が所望する場合にタッチ操作による指示入力を行うことができなかった。
【課題を解決するための手段】
【０００５】
本発明による表示装置は、使用者の手で保持可能な表示手段と、表示手段の表面に対する接触物の接触位置を検出する第１の接触位置検出手段と、表示手段の裏面に対する接触物の接触位置を検出する第２の接触位置検出手段と、第１の接触位置検出手段および／または第２の接触位置検出手段に対する所定の操作に基づいて所定の指示を受け付け、当該指示に応じた処理を実行する実行手段と、第１の接触位置検出手段により検出された接触位置と第２の接触位置検出手段により検出された接触位置との位置関係に基づいて、実行手段を、指示を受け付けないモードから指示を受け付ける指示受付モードへと切り替える切替手段と、を備えることを特徴とする。
【発明の効果】
【０００６】
本発明によれば、使用者が表示装置を保持した状態において、使用者が所望する場合にタッチ操作による指示入力を行うことができる。
【図面の簡単な説明】
【０００７】
【図１】本実施形態による表示装置を使用者が両手で保持している様子を説明する図である。
【図２】（Ａ）は表示装置の表面を説明する図であり、（Ｂ）は表示装置の裏面を説明する図である。
【図３】表示装置１の要部構成を説明するブロック図である。
【図４】使用者が摘み操作を行っている様子を説明する図である。
【図５】操作方法を説明する図である。
【図６】使用者が表示内容の変更指示操作を行っている様子を説明する図である。
【図７】（Ａ）および（Ｂ）は単独操作を説明する図であり、（Ｃ）は同方向操作を説明する図であり、（Ｄ）は反対方向操作を説明する図である。
【図８】表示装置の処理の流れを説明するフローチャートである。
【図９】図８のフローチャートに続くフローチャートである。
【図１０】変形例１における操作方法を説明する図である。
【発明を実施するための形態】
【０００８】
以下、図面を参照して本発明を実施するための形態について説明する。図１は、本実施形態による表示装置１を使用者が両手で保持している様子を説明する図である。図１に示すように、表示装置１は、薄い板状で、使用者が両手または片手で保持することができるように構成されている。表示装置１の表面には、薄い板状の表示部２が設けられている。
【０００９】
図２（Ａ）は、表示装置１の表面を説明する図であり、図２（Ｂ）は、表示装置１の裏面を説明する図である。表示装置１の表面に設けられた表示部２は、柔軟性を有する電気泳動ディスプレイ（ＥＰＤ：Electrophoretic Display、いわゆる電子ペーパー）３の表示面に、マルチタッチ対応感圧式タッチパネル４が貼り付けられた構造を有する。このタッチパネル４は、透明な感圧型抵抗素子を用いるもので、同時に画面内に加えられた複数点の圧力をそれぞれ測定可能に構成されている。
【００１０】
また、表示装置１の裏面には、表示部２のタッチパネル４と同様の構成でなるタッチパネル５が設けられている。以下の説明では、表示装置１の表面に設けられたタッチパネル４を表面タッチパネル４と呼び、裏面に設けられたタッチパネル５を裏面タッチパネル５と呼ぶ。また以下の説明において上下左右と表記する場合、矩形状の表示装置１を表面から見た場合において、表示装置１の長手方向を上下方向、短手方向を左右方向とした場合の位置関係に基づくものとする。
【００１１】
なお、本実施の形態では、表面タッチパネル４および裏面タッチパネル５を感圧式としたが、これに限らなくてよく、例えば静電式や圧電式などのタッチパネルを用いるようにしてもよい。また本実施の形態では、表示部２のディスプレイを電気泳動ディスプレイとしたが、これに限らなくてよく、例えば有機ＥＬディスプレイなどを用いるようにしてもよい。また柔軟性を有するディスプレイに限らなくてよく、剛性のあるディスプレイを用いるようにしてもよい。
【００１２】
図３は、表示装置１の要部構成を説明するブロック図である。なお、図３では、本発明に関与の少ない部分、例えば、外部装置との通信に関する部分や、メモリカードのデータを読出すインタフェース、ＳｏＣ（System on a Chip）１０に搭載されている他の汎用的な機能に関する部分などは省略して記載している。
【００１３】
表面タッチパネル４および裏面タッチパネル５に加えられている圧力は、それぞれ、タッチパネルコントローラ１１によって全画面を１００Ｈｚ以上でスキャンされる。タッチパネルコントローラ１１は、１回のスキャンごとに読み取った値を認識し、この認識結果を、Ｉ２Ｃシリアル通信を用いてＳｏＣ１０に出力する。この出力値は、表面タッチパネル４または裏面タッチパネル５の測定面上の圧力が加えられている領域の数、各領域の形状のパターンとその形状に関係するパラメータ、座標、面積、領域内の圧力分布のパターン、領域の重心点位置、領域内の最高圧力点位置、最高圧力の値などである。ここで領域とは、表面タッチパネル４または裏面タッチパネル５の測定面上において圧力が加えられている連続した範囲を一つのグループとして認識したものである。タッチパネルコントローラ１１は、この領域の形状を円、楕円、長方形などの形状パターンとのマッチングを行う。そしてタッチパネルコントローラ１１は、例えば、円であれば半径と中心の座標とを算出し、長方形であれば長辺及び短辺の長さと回転角と対角線の交差点の位置の座標とを算出する。すなわちタッチパネルコントローラ１１は、各形状パターンに対して形状と状態とを表すパラメータを算出する。またタッチパネルコントローラ１１は、この領域内の圧力値に関して、各形状情報とともに圧力分布のパターンマッチングを行う。圧力分布のパターンとしては、ペンなどの尖端物によって押された場合、指などの柔軟物で押された場合、表示装置１上に固形物が置かれた場合、表示装置１が折り曲げられた場合などの圧力分布の代表パターンがタッチパネルコントローラ１１内に記録されている。タッチパネルコントローラ１１は、上記領域内の圧力値に関して、形状パターンの情報も用いて、上記圧力分布の代表パターンとのマッチングを行う。
【００１４】
また、タッチパネルコントローラ１１内には記憶領域が設けられている。この記憶領域は、上記のようなパターンマッチング用の情報を保持する他、数回分のスキャン結果を記憶している。タッチパネルコントローラ１１は、現時点でのスキャン結果と、この記憶領域内に記憶されたスキャン結果とを比較することによって、領域の増加や減少、各領域の面積の増減、領域内の重心位置や最高圧力点位置の移動距離、移動方向といった情報を解析し、解析結果をＳｏＣ１０に出力する。またタッチパネルコントローラ１１は、このタッチパネルコントローラ１１による認識結果以外に、ＳｏＣ１０からのコマンドに応じて全画面の圧力値をＳｏＣ１０に出力することもできる。上記のような認識処理をタッチパネルコントローラ１１内で行うことによって、ＳｏＣ１０内部コアの演算負荷を分散することができる。また、タッチパネルコントローラ１１による入力が無い場合には、ＳｏＣ１０の負荷状態に応じて動作クロックを低減することができるため、消費電力を抑えながら表面タッチパネル４および裏面タッチパネル５の入力に対しては即応性を維持することができる。
【００１５】
また、上記のような表面タッチパネル４および裏面タッチパネル５の入力状態データは、常に全てＳｏＣ１０に送信されるわけではない。タッチパネルコントローラ１１は、上記のような入力状態データを、使用する頻度や状況に基づきいくつかのグループに分類し、ＳｏＣ１０の指定に応じたグループのデータをスキャンごとに通信する。また、タッチパネルコントローラ１１は、入力状態に変化がない場合には通信自体を停止する。このようにして表示装置１では、Ｉ２Ｃバスの通信負荷を低減している。
【００１６】
ＳｏＣ１０は、Ｉ２Ｃインタフェース（Ｉ／Ｆ）１２を介して、上述したタッチパネルコントローラ１１から送信されるデータを取得して、処理を行う。またＳｏＣ１０は、この他メモリカードや外部装置などから、インタフェースを介して画像や文章などのデータを取得して、処理を行う。なお図３では省略しているが、実際には、ＳｏＣ１０には、各種画像のデコーダ等のプロセッシングユニット、各種機器とのインタフェース等といった機能も搭載されている。
【００１７】
またＳｏＣ１０には、外部メモリ１３が直結されている。ＳｏＣ１０のｃｏｒｅ（メイン演算処理ユニット）１４およびＧＰＵ１５と、外部メモリ１３と、各種インタフェースとは、バスを通じて相互に情報をやりとりする。メイン演算処理ユニット１４は、タッチパネルコントローラ１１からの出力に基づいて、表面タッチパネル４および裏面タッチパネル５に対してどのような操作が行われたかを認識する。そしてメイン演算処理ユニット１４は、各種インタフェースからのデータと、表面タッチパネル４および裏面タッチパネル５における操作情報とを処理して、表示内容を決定する。ＧＰＵ１５は、メイン演算処理ユニット１４により決定された表示内容に合わせて画像を加工するなどの画像に関する処理を行う。ＧＰＵ１５によって最終的に作成された画像データは、ＥＰＤコントローラ１６に出力される。ＥＰＤコントローラ１６は、電気泳動ディスプレイ３の固有データや、温度センサ１７から入手される電気泳動ディスプレイ３の温度情報に基づいて、電気泳動ディスプレイ３に最適な電圧やタイミングなどを調整し、電気泳動ディスプレイ３を駆動して、電気泳動ディスプレイ３に画像を表示する。
【００１８】
ところで本実施形態の表示装置１は、図１に示したように、使用者が表示装置１を保持した状態で、表示装置１の表示内容の変更を指示する操作を簡易に行うことができるように構成されている。以下、この点について詳しく説明する。
【００１９】
図１に示したように、使用者は、表示装置１を保持した状態では、表示装置１の両面を指で挟むようにして保持することとなる。このような状態では、表示装置１の両面において保持目的で数点の接触点が生じる。したがって、表示装置１を保持しただけで表示内容の変更指示操作が行われたと判定されて、表示内容が変更されてしまうのは好ましくない。
【００２０】
そこで本実施形態では、使用者が表示装置１の表示内容の変更を希望する場合、まず、図４に示すように、例えば左手の親指と人差し指など２つの指で表示装置１を両面から摘む操作（以下、摘み操作とも呼ぶ）を行う。これにより、図５の左側に示すように、表面タッチパネル４に対する指の接触位置（以下、表面タッチ位置とも呼ぶ）と裏面タッチパネル５に対する接触位置（以下、裏面タッチ位置とも呼ぶ）とが略一致した状態となる。すなわち、表面タッチパネル４および裏面タッチパネル５に対する同一の法線上に、表面タッチ位置と裏面タッチ位置とが位置する状態、換言すれば、表面タッチ位置と裏面タッチ位置とにおいて、表示装置１の表面または裏面方向の位置が略一致した状態となる。
【００２１】
メイン演算処理ユニット１４は、タッチパネルコントローラ１１からの出力に基づいて、このように表面タッチ位置と裏面タッチ位置とが略一致した状態（以下、タッチ位置一致状態とも呼ぶ）を検出すると、表示内容の変更指示操作を受け付ける指示受付モードとなる。
【００２２】
なお、使用者が意図していなくても表示装置１を保持するためにタッチ位置一致状態となる場合もあり得るため、メイン演算処理ユニット１４は、タッチ位置一致状態が所定時間以上継続したことを検出した場合に、摘み操作が行われたことを認識して、指示受付モードに移行する。また、使用者が意図的に摘み操作を行う場合は接触圧力が大きくなるため、メイン演算処理ユニット１４は、タッチ位置一致状態を検出したタッチ位置における接触圧力が所定値以上であることを検出した場合に、指示受付モードに移行するようにしてもよい。
【００２３】
このように使用者は、摘み操作を行うことにより、表示装置１を指示受付モードとすると、その後、図６に示すように、表示内容を変更する指示操作として、例えば右手の親指を左にずらす操作を行う。
【００２４】
メイン演算処理ユニット１４は、指示受付モードへ移行すると、表示装置１においてタッチ位置一致状態が検出された位置の近傍の辺（ここでは左辺）と異なる辺（ここでは右辺）近傍における、表面タッチ位置および裏面タッチ位置について、指示受付モードへの移行時点から各タッチ位置が移動したか否かを監視している。
【００２５】
そしてメイン演算処理ユニット１４は、表面タッチ位置または裏面タッチ位置の移動を検出すると、図５の右側に示すようにタッチ位置の移動方向（上下左右方向）に応じて、表示内容の変更指示を受け付ける。メイン演算処理ユニット１４は、例えば、図６に示したように表面タッチ位置（右手の親指）が左に移動したことを検出した場合には、表示部２に表示された表示データ（画像や文章など）を左方向にスクロールする指示を受け付け、当該指示に従って表示データを変更する。
【００２６】
ここで、本実施形態においてメイン演算処理ユニット１４が認識する指示操作の種類を、図７を用いて説明する。メイン演算処理ユニット１４は、図７（Ａ）に示すように裏面タッチ位置のみが移動する操作、および図７（Ｂ）に示すように表面タッチ位置のみが移動する操作を、表面または裏面に対する単独のタッチ操作（単独操作）として認識する。またメイン演算処理ユニット１４は、図７（Ｃ）に示すように表面タッチ位置および裏面タッチ位置の両方が同方向に移動するタッチ操作を、同方向操作として認識する。さらにメイン演算処理ユニット１４は、図７（Ｄ）に示すように表面タッチ位置および裏面タッチ位置がそれぞれ反対方向に移動する操作を、反対方向操作として認識する。本実施形態において、単独操作、同方向操作、および反対方向操作には、それぞれ上下左右方向の４種類の指示が割り当てられている。それぞれの指示内容について詳しくは後述する。
【００２７】
また指示受付モードに移行すると、メイン演算処理ユニット１４は、表示内容の変更指示操作の内容を使用者に報知するための操作メニュー３０（図４）を、表示部２において摘み操作が検出されたタッチ位置の近傍（図４では左手の親指の近傍）に表示する。操作メニュー３０は、単独操作における指示内容を説明する単独操作メニュー３１と、同方向操作における指示内容を説明する同方向操作メニュー３２と、反対方向操作における指示内容を説明する反対方向操作メニュー３３とから構成されている。
【００２８】
このように表示装置１は、指示受付モードに入ると操作メニュー３０を表示することで、使用者に指示受付モードに入ったことを認識させることができる。
【００２９】
また使用者は、いったん指示受付モード中に入ったあと、指示受付モードを解除したい場合には、表面タッチパネル４または裏面タッチパネル５に対してダブルタップ操作（タッチパネルにタッチしてすぐ指を離すタップ操作を同じ位置で連続して２回行う操作）を行う。メイン演算処理ユニット１４は、指示受付モード中にダブルタップ操作が行われたことを認識すると、指示受付モードを解除する指示を受け付けて、指示受付モードを解除し（すなわち指示を受け付けないモードに切替え）、操作メニュー３０を非表示にする。
【００３０】
なお、メイン演算処理ユニット１４は、指示受付モードに入ってから所定時間が経過した場合にも、指示受付モードを解除するようになっている。
【００３１】
また、表示装置１の使用方法として、表示装置１を使用者が手で保持して使用する場合の他に、テーブルなどに置いて使用する場合も想定される。この場合、表示装置１の表示部２を上にしてテーブルに置かれると考えられるため、表面タッチパネル４に対するタッチ操作で指示できる状態が望ましい。そこで本実施形態の表示装置１は、表示装置１がテーブルなどに置かれたことを認識した場合には、表面タッチパネル４に対するタッチ操作のみを表示内容の変更指示操作として受け付ける片面操作受付モードとなる。
【００３２】
具体的に、表示装置１がテーブルに置かれて使用される場合、表示装置１の裏面タッチパネル５の全体またはその一部のある程度広い領域がテーブルに接触した状態となる。そこでメイン演算処理ユニット１４は、裏面タッチパネル５の出力から検出された接触領域が所定面積以上または接触点の数が所定閾値以上であると判定した場合に、表示装置１がテーブルに置かれたことを認識して、片面操作受付モードとなる。
【００３３】
次に、表示装置１において、上述したように表示内容の変更指示操作を受け付ける処理の流れを、図８および図９に示すフローチャートを用いて説明する。メイン演算処理ユニット１４は、不図示の電源ボタンがオンされると、図８および図９に示す処理を開始する。
【００３４】
図８のステップＳ１においてメイン演算処理ユニット１４は、表示部２に表示する表示データ（画像データや文章データなど）を選択して、ステップＳ２へ進む。
【００３５】
ステップＳ２においてメイン演算処理ユニット１４は、ステップＳ１で選択した表示データを表示部２に表示させて、ステップＳ３へ進む。
【００３６】
ステップＳ３においてメイン演算処理ユニット１４は、使用者による操作入力が行われたか否かを判定する。メイン演算処理ユニット１４は、表面タッチ位置または裏面タッチ位置が検出された場合、または電源ボタンから押下信号が入力された場合に、ステップＳ３を肯定判定してステップＳ４へ進む。一方メイン演算処理ユニット１４は、表面タッチ位置および裏面タッチ位置が検出されず、電源ボタンから押下信号が入力されない場合にはステップＳ３を否定判定し、ステップＳ３の判定処理を繰り返す。
【００３７】
ステップＳ４においてメイン演算処理ユニット１４は、行われた操作入力が表面タッチパネル４および／または裏面タッチパネル５に対するタッチ操作入力であるか否かを判定する。メイン演算処理ユニット１４は、電源ボタンからの押下信号が入力されたことによってステップＳ３を肯定判定した場合には、ステップＳ４を否定判定してステップＳ５へ進む。ステップＳ５においてメイン演算処理ユニット１４は、電源をオフして、図８および図９の処理を終了する。
【００３８】
一方、メイン演算処理ユニット１４は、表面タッチ位置および／または裏面タッチ位置が検出されたことによってステップＳ３を肯定判定した場合には、ステップＳ４を肯定判定してステップＳ６へ進む。ステップＳ６においてメイン演算処理ユニット１４は、行われたタッチ操作入力が、表面タッチ位置と裏面タッチ位置とを略一致させる操作（摘み操作）であるか否かを判定する。メイン演算処理ユニット１４は、行われたタッチ操作入力が摘み操作である場合は、ステップＳ６を肯定判定してステップＳ７へ進む。一方、メイン演算処理ユニット１４は、行われたタッチ操作入力が摘み操作でない場合は、ステップＳ６を否定判定してステップＳ２５へ進む。
【００３９】
ステップＳ７においてメイン演算処理ユニット１４は、指示受付モードに移行し、上述したように操作メニュー３０を表示部２に表示させて、ステップＳ８へ進む。
【００４０】
ステップＳ８においてメイン演算処理ユニット１４は、表面タッチパネル４または裏面タッチパネル５に対してダブルタップ操作が行われたか否かを判定する。メイン演算処理ユニット１４は、ダブルタップ操作が行われた場合には、ステップＳ８を肯定判定して、指示受付モードを解除し、ステップＳ３に戻る。一方メイン演算処理ユニット１４は、ダブルタップ操作が行われていない場合には、ステップＳ８を否定判定してステップＳ９へ進む。
【００４１】
ステップＳ９においてメイン演算処理ユニット１４は、指示受付モードに入った時点から、表面タッチ位置または裏面タッチ位置が移動したか否かを判定する。メイン演算処理ユニット１４は、表面タッチ位置または裏面タッチ位置が移動した場合にはステップＳ９を肯定判定して、ステップＳ１０へ進む。一方メイン演算処理ユニット１４は、表面タッチ位置または裏面タッチ位置が移動していない場合にはステップＳ９を否定判定して、ステップＳ２４（図９）へ進む。
【００４２】
ステップＳ１０においてメイン演算処理ユニット１４は、表面タッチ位置または裏面タッチ位置のいずれか一方が移動したか否かを判定する。メイン演算処理ユニット１４は、表面タッチ位置または裏面タッチ位置のいずれか一方が移動した場合にはステップＳ１０を肯定判定し、単独操作が行われたと認識して、ステップＳ１１へ進む。
【００４３】
図９のステップＳ１１においてメイン演算処理ユニット１４は、表面タッチ位置または裏面タッチ位置の移動方向が上下方向であるか左右方向であるか否かを判定する。メイン演算処理ユニット１４は、当該移動方向が上下方向である場合にはステップＳ１２へ進み、当該移動方向が左右方向である場合にはステップＳ１３へ進む。
【００４４】
ステップＳ１２においてメイン演算処理ユニット１４は、表面タッチ位置または裏面タッチ位置の移動方向が上方向である場合には、表示データ（画像や文章など）を上方向にスクロールする指示を受け付ける。一方、メイン演算処理ユニット１４は、表面タッチ位置または裏面タッチ位置の移動方向が下方向である場合には、表示データ（画像、文章など）を下方向にスクロールする指示を受け付ける。そしてメイン演算処理ユニット１４は、ステップＳ１４へ進む。
【００４５】
またステップＳ１３においてメイン演算処理ユニット１４は、表面タッチ位置または裏面タッチ位置の移動方向が右方向である場合には、表示データ（画像、文章など）を右方向にスクロールする指示を受け付ける。一方、メイン演算処理ユニット１４は、表面タッチ位置または裏面タッチ位置の移動方向が左方向である場合には、表示データ（画像、文章など）を左方向にスクロールする指示を受け付ける。そしてメイン演算処理ユニット１４は、ステップＳ１４へ進む。
【００４６】
ステップＳ１４においてメイン演算処理ユニット１４は、ステップＳ１２またはステップＳ１３で受け付けた指示に従ってＧＰＵ１５を制御して、表示データの表示内容を変更させ、ステップＳ２４へ進む。
【００４７】
一方、表面タッチ位置および裏面タッチ位置の両方が移動した場合には、メイン演算処理ユニット１４は、ステップＳ１０（図８）を否定判定して、ステップＳ１５（図９）へ進む。ステップＳ１５において、メイン演算処理ユニット１４は、表面タッチ位置および裏面タッチ位置が同方向に移動したか否かを判定する。メイン演算処理ユニット１４は、表面タッチ位置および裏面タッチ位置が同方向に移動した場合には、ステップＳ１５を肯定判定し、同方向操作が行われたと認識して、ステップＳ１６へ進む。
【００４８】
ステップＳ１６においてメイン演算処理ユニット１４は、同方向操作におけるタッチ位置の移動方向が上下方向であるか左右方向であるか否かを判定する。メイン演算処理ユニット１４は、当該移動方向が上下方向である場合にはステップＳ１７へ進み、当該移動方向が左右方向である場合にはステップＳ１８へ進む。
【００４９】
ステップＳ１７においてメイン演算処理ユニット１４は、表面タッチ位置および裏面タッチ位置の移動方向が上方向である場合には、表示データ（画像、文章など）を拡大する指示を受け付ける。一方、メイン演算処理ユニット１４は、表面タッチ位置および裏面タッチ位置の移動方向が下方向である場合には、表示データ（画像、文章など）を縮小する指示を受け付ける。そしてメイン演算処理ユニット１４は、ステップＳ１９へ進む。
【００５０】
またステップＳ１８においてメイン演算処理ユニット１４は、表面タッチ位置および裏面タッチ位置の移動方向が右方向である場合には、表示データ（画像、文章など）を、次のページの表示データに切り替え表示（ページＵｐ）する指示を受け付ける。一方、メイン演算処理ユニット１４は、表面タッチ位置および裏面タッチ位置の移動方向が左方向である場合には、表示データ（画像、文章など）を、前のページの表示データに切り替え表示（ページＤｏｗｎ）する指示を受け付ける。そしてメイン演算処理ユニット１４は、ステップＳ１９へ進む。
【００５１】
ステップＳ１９においてメイン演算処理ユニット１４は、ステップＳ１７またはステップＳ１８で受け付けた指示に従ってＧＰＵ１５を制御して、表示データの表示内容を変更させ、ステップＳ２４へ進む。
【００５２】
一方、表面タッチ位置および裏面タッチ位置がそれぞれ反対方向に移動した場合には、メイン演算処理ユニット１４は、ステップＳ１５を否定判定し、反対方向操作が行われたと認識して、ステップＳ２０へ進む。
【００５３】
ステップＳ２０においてメイン演算処理ユニット１４は、反対方向操作における表面タッチ位置の移動方向が上下方向であるか左右方向であるか否かを判定する。メイン演算処理ユニット１４は、当該移動方向が上下方向である場合にはステップＳ２１へ進み、当該移動方向が左右方向である場合にはステップＳ２２へ進む。
【００５４】
ステップＳ２１においてメイン演算処理ユニット１４は、表面タッチ位置の移動が上方向である場合には、表示データ（画像、文章など）のコントラストを強める指示を受け付ける。一方、メイン演算処理ユニット１４は、表面タッチ位置の移動が下方向である場合には、表示データ（画像、文章など）のコントラストを弱める指示を受け付ける。そしてメイン演算処理ユニット１４は、ステップＳ２３へ進む。
【００５５】
またステップＳ２２においてメイン演算処理ユニット１４は、表面タッチ位置の移動が右方向である場合には、表示データ（画像、文章など）を右回転させる指示を受け付ける。一方、メイン演算処理ユニット１４は、表面タッチ位置の移動が左方向である場合には、表示データ（画像、文章など）を左回転させる指示を受け付ける。そしてメイン演算処理ユニット１４は、ステップＳ２３へ進む。
【００５６】
ステップＳ２３においてメイン演算処理ユニット１４は、ステップＳ２１またはステップＳ２２で受け付けた指示に従ってＧＰＵ１５を制御して、表示データの表示内容を変更させ、ステップＳ２４へ進む。
【００５７】
ステップＳ２４においてメイン演算処理ユニット１４は、指示受付モードに入ってから所定時間が経過したか否かを判定する。所定時間が経過していない場合には、メイン演算処理ユニット１４は、ステップＳ２４を否定判定してステップＳ８（図８）に戻り、指示受付モードを継続する。一方、所定時間が経過した場合には、メイン演算処理ユニット１４は、ステップＳ２４を肯定判定して指示受付モードを解除し、ステップＳ３（図８）に戻る。
【００５８】
一方、ステップＳ４（図８）で判定したタッチ操作が表面タッチ位置と裏面タッチ位置とを略一致させる操作（摘み操作）ではない場合にステップＳ６を否定判定して進むステップＳ２５において、メイン演算処理ユニット１４は、裏面タッチパネル５において検出された接触領域が所定面積以上または接触点の数が所定閾値以上であるか否かを判定する。接触領域および接触点の数がこの条件を満たさない場合には、メイン演算処理ユニット１４は、ステップＳ２５を否定判定して、ステップＳ３に戻る。なお、ステップＳ２５を否定判定する場合とは、使用者が表示装置１を手で保持することによって、表面タッチ位置または裏面タッチ位置が検出された場合である。
【００５９】
一方、接触領域および接触点の数がこの条件を満たす場合には、メイン演算処理ユニット１４は、ステップＳ２５を肯定判定して、ステップＳ２６へ進む。ステップＳ２６へ進む場合とは、表示装置１がテーブルなどに置かれている場合である。ステップＳ２６においてメイン演算処理ユニット１４は、片面操作受付モードに移行し、ステップＳ２７へ進む。
【００６０】
ステップＳ２７においてメイン演算処理ユニット１４は、表面タッチパネル４に対するタッチ操作に応じて表示内容の変更指示を受け付けて、ステップＳ２８へ進む。例えば、表面タッチパネル４に対するフリップ操作（タッチパネルを指で払う操作）が行われると、フリップ操作の方向に応じたスクロールの指示を受け付ける。
【００６１】
ステップＳ２８においてメイン演算処理ユニット１４は、ステップＳ２７で受け付けた指示に従ってＧＰＵ１５を制御して、表示データの表示内容を変更させ、ステップＳ２９へ進む。
【００６２】
ステップＳ２９においてメイン演算処理ユニット１４は、片面操作受付モードに入ってから所定時間が経過したか否かを判定する。所定時間が経過していない場合は、メイン演算処理ユニット１４は、ステップＳ２９を否定判定してステップＳ２７に戻り、片面操作受付モードを継続する。一方、所定時間が経過した場合には、メイン演算処理ユニット１４は、ステップＳ２９を肯定判定して片面操作受付モードを解除し、ステップＳ３に戻る。
【００６３】
以上説明した実施の形態によれば、次の作用効果が得られる。
（１）表示装置１は、使用者の手で保持可能な表示部２と、表示部２の表面に対する接触物の接触位置を検出する表面タッチパネル４と、表示部２の裏面に対する接触物の接触位置を検出する裏面タッチパネル５と、表面タッチパネル４および／または裏面タッチパネル５に対する所定の操作に基づいて所定の指示を受け付け、当該指示に応じた処理を実行するメイン演算処理ユニット１４と、表面タッチパネル４により検出された接触位置と裏面タッチパネル５により検出された接触位置との位置関係に基づいて、指示を受け付けないモードから指示を受け付ける指示受付モードへと切り替えるメイン演算処理ユニット１４と、を備える。これにより、使用者が表示装置１を保持した状態において、使用者が所望する場合にタッチ操作による指示入力を行うことができる。
【００６４】
（２）上記（１）の表示装置１において、メイン演算処理ユニット１４は、表面タッチパネル４により検出された接触位置と裏面タッチパネル５により検出された接触位置とが略一致した場合に、指示受付モードへと切り替えるように構成した。これにより、使用者は、表示部２を摘むという簡単な操作を行うだけで、表示装置１を指示受付モードに切り替えることができる。
【００６５】
（３）上記（１）または（２）の表示装置１において、メイン演算処理ユニット１４は、指示受付モードに切り替えられた時点から、表面タッチパネル４により検出された接触位置および／または裏面タッチパネル５により検出された接触位置が移動される操作に基づいて表示部２の表示内容を変更する指示を受け付けるように構成した。これにより、使用者は、摘み操作を行った後、表示装置１に接触させた指をずらすという操作を行うだけで、表示装置１に対して表示内容の変更指示を入力することができる。
【００６６】
（４）上記（３）の表示装置１において、メイン演算処理ユニット１４は、指示受付モードにおいて、表面タッチパネル４により検出された接触位置および裏面タッチパネル５により検出された接触位置の両方が同時に移動される操作（同方向操作、反対方向操作）に基づいて指示を受け付けるように構成した。また、メイン演算処理ユニット１４は、指示受付モードにおいて、表面タッチパネル４により検出された接触位置および裏面タッチパネル５により検出された接触位置の両方が同時に移動される操作（同方向操作、反対方向操作）と、表面タッチパネル４により検出された接触位置および裏面タッチパネル５により検出された接触位置のいずれか一方のみが移動される操作（単独操作）とで、受け付ける指示を異ならせるようにした。これにより、使用者は、各種のタッチ操作を行うことで、多彩な指示を入力することができる。
【００６７】
（５）上記（１）〜（４）の表示装置１において、指示受付モードに切り替えられると、所定の操作に基づく所定の指示の内容（操作メニュー３０）を表示部２に表示させるメイン演算処理ユニット１４をさらに備えるように構成したので、使用者に、指示受付モードに切り替わったことを認識させると共に、各種タッチ操作でどのような指示ができるのかを認識させることができる。
【００６８】
（６）上記（２）の表示装置１において、メイン演算処理ユニット１４は、タッチ位置一致状態が検出された接触位置の近傍にある表示部２の端部(例えば左辺)とは異なる表示部２の端部（例えば右辺）近傍において表面タッチパネル４および／または裏面タッチパネル５により検出された接触位置が移動される操作に基づいて、指示を受け付けるように構成した。これにより、使用者は、表示装置１を両手で保持し、片方の手で摘み操作を行って、もう片方の手で接触位置をずらす操作を行うことで、表示装置１に表示内容の変更指示を入力することができる。
【００６９】
（７）上記（１）〜（６）の表示装置１において、メイン演算処理ユニット１４は、裏面タッチパネル５において、接触物の接触領域が所定面積以上または接触位置の数が所定数以上であることが検出された場合には、表面タッチパネル４に対するタッチ操作のみに基づいて指示を受け付ける片面操作受付モードへと切り替えるように構成した。これにより、表示装置１がテーブルなどに置かれると自動で片面操作受付モードに切り替わるので、使用者は、わざわざ摘み操作を行わなくても、タッチ操作によって表示内容の変更を指示することができる。
【００７０】
（８）上記（３）の表示装置１において、メイン演算処理ユニット１４は、指示受付モードへと切り替えた後、表面タッチパネル４または裏面タッチパネル５に対して、接触位置が移動される操作とは異なる所定の操作（本実施形態ではダブルタップ操作）が行われた場合には、指示を受け付けないモードへ切り替える（すなわち指示受付モードを解除する）ように構成した。これにより、使用者は、簡易な操作で指示受付モードをキャンセルすることができる。
【００７１】
（変形例１）
上述した実施の形態では、使用者が両手で表示装置１を保持することを前提とし、指示受付モードに入ると、タッチ位置一致状態が検出された位置の近傍の辺と異なる辺の近傍における表面タッチ位置および裏面タッチ位置の移動を検出して、変更指示操作を受け付ける例について説明した。しかしながら、メイン演算処理ユニット１４は、表面タッチ位置および裏面タッチ位置の分布に基づいて、使用者が表示装置１を両手で保持しているか、または片手で保持しているかを判定するようにしてもよい。
【００７２】
具体的に、メイン演算処理ユニット１４は、表面タッチ位置および裏面タッチ位置が表示装置１の異なる２辺の近傍にそれぞれ集まっていることが検出した場合には、使用者が表示装置１を両手で保持していると判定する。この場合メイン演算処理ユニット１４は、上述した実施の形態と同様に、タッチ位置一致状態が検出された位置の近傍の辺と異なる辺の近傍における表面タッチ位置および裏面タッチ位置の移動を検出して、変更指示操作を受け付ける。
【００７３】
一方、メイン演算処理ユニット１４は、表面タッチ位置および裏面タッチ位置が表示装置１のある一辺の近傍のみに集まっていることが検出した場合には、使用者が表示装置１を片手で保持していると判定する。この場合、図１０に示すように、タッチ位置一致状態が検出された位置を原点として、そこから表面タッチ位置および裏面タッチ位置が移動したか否かを検出して、変更指示操作を受け付ける。この場合、使用者は、表示装置１を片手のみで保持して、その手で摘み操作と変更指示操作とを両方行う。
【００７４】
なお、使用者が表示装置１を両手で保持していると判定した場合にも、タッチ位置一致状態が検出された位置を原点として、そこから表面タッチ位置および裏面タッチ位置が移動したか否かを検出して、変更指示操作を受け付けるようにしてもよい。この場合、使用者は、表示装置１を両手で保持して、そのうちの一方の手で摘み操作と変更指示操作とを両方行う。
【００７５】
また、使用者が表示装置１を両手で保持しているか片手で保持しているかに関わらず、タッチ位置一致状態が検出されて指示受付モードに移行すると、表面タッチパネル４および裏面タッチパネル５における全てのタッチ位置を監視して、いずれかのタッチ位置で移動が検出された場合に、変更指示操作を受け付けるようにしてもよい。
【００７６】
（変形例２）
上述した実施の形態では、指示受付モードに入ってから所定時間が経過した場合に、指示受付モードを抜ける例について説明した。しかしながら、指示受付モードに入ってから、指示操作を１回受け付けた場合に、指示受付モードから抜けるようにしてもよい。
【００７７】
（変形例３）
上述した実施の形態では、指示受付モードに入ると、各操作における指示内容を報知する操作メニュー３０を表示する例について説明した。しかしながら、指示受付モードに入っても操作メニュー３０を表示しなくてもよい。使用者は、操作メニュー３０の内容を覚えれば、操作メニュー３０を見なくてもスムーズに操作を行うことができる。またこの場合に、操作メニュー３０が表示部２の表示内容を見づらくしてしまう場合もあり得る。そこで、操作メニュー３０の表示・非表示を使用者がメニュー設定等で切り替えられるようにしてもよい。
【００７８】
（変形例４）
上述したような反対方向操作を複数回繰り返すことで、表示装置１を摘んでこするような操作を検出して、操作入力として受け付けるようにしてもよい。例えば、このこする操作が行われてから摘み操作が検出された場合に、指示受付モードに入るようにしてもよい。また、このこする操作を、表示内容をホールドする指示操作として受け付けるようにしてもよい。
【００７９】
（変形例５）
上述した実施の形態では、単独操作、同方向操作、および反対方向操作の全てに表示内容の変更指示を割り当てる例について説明したが、これに限らなくてもよい。また変更指示の割り当ても上述した実施の形態の内容に限らなくてもよい。すなわち、操作メニュー３０についても上述した実施の形態に限らなくてよく、変更指示の割り当て内容に応じて適宜変えてもよい。
【００８０】
また、メイン演算処理ユニット１４は、指示受付モードにおいて、表面タッチ位置の移動操作と裏面タッチ位置の移動操作とで、受け付ける変更指示を異ならせるようにしてもよい。メイン演算処理ユニット１４は、例えば、表面タッチ位置の移動操作が行われた場合にはスクロール指示を受け付け、裏面タッチ位置の移動操作が行われた場合には拡大縮小指示を受け付けるようにしてもよい。
【００８１】
（変形例６）
上述した実施の形態では、表示部２が表面のみにある例について説明したが、表示部が両面にあり、それぞれにタッチパネルが設けられるようにしてもよい。この場合、メイン演算処理ユニット１４は、表面タッチパネル４において、検出された接触領域が所定面積以上または接触点の数が所定閾値以上である場合には、表示装置１が表面を下にしてテーブルに置かれたことを認識して、裏面タッチパネル５に対するタッチ操作を変更指示操作として受け付ける片面操作受付モードに移行する。一方、メイン演算処理ユニット１４は、裏面タッチパネル５において、検出された接触領域が所定面積以上または接触点の数が所定閾値以上である場合には、表示装置１が裏面を下にしてテーブルに置かれたことを認識して、表面タッチパネル４に対するタッチ操作を変更指示操作として受け付ける片面操作受付モードに移行する。
【００８２】
（変形例７）
上述した実施の形態では、指示受付モード中にダブルタップ操作が行われると、指示受付モードを解除する例について説明した。しかしながら、表示内容を変更する指示操作（上述した実施の形態では接触位置を移動する操作）とは異なる操作であれば、この他の操作を、指示受付モードを解除するための操作とするようにしてもよい。例えばシングルタップ操作によって指示受付モードを解除してもよいし、再度の摘み操作によって指示受付モードを解除してもよい。
【００８３】
以上の説明はあくまで一例であり、上記の実施形態の構成に何ら限定されるものではない。また、上記実施形態に各変形例の構成を適宜組み合わせてもかまわない。
【符号の説明】
【００８４】
１…表示装置、２…表示部、３…電気泳動ディスプレイ、４…表面タッチパネル、５…裏面タッチパネル、１１…タッチパネルコントローラ、１４…メイン演算処理ユニット、１５…ＧＰＵ
【図１】
2014010481.tif 000003
【図２】
2014010481.tif 000004
【図３】
2014010481.tif 000005
【図４】
2014010481.tif 000006
【図５】
2014010481.tif 000007
【図６】
2014010481.tif 000008
【図７】
2014010481.tif 000009
【図８】
2014010481.tif 000010
【図９】
2014010481.tif 000011
【図１０】
2014010481.tif 000012